(57)【要約】【課題】  遊技場１に無線ＬＡＮシステム１１を導入して、携帯電話装置１３にリンクさせる。【解決手段】  遊技場１に設置された遊技機５の動作状態を検出する遊技機５のセンサと、  上記遊技機５のセンサが検出した遊技機５の動作状態を入力するインテリジェント情報表示装置１７と、  上記遊技場１に設置されている所望の遊技機５の動作状態を要求する携帯電話装置１３と、  上記携帯電話装置１３から要求されて所望の遊技機５の動作状態を上記インテリジェント情報表示装置１７から受信するホールコンピュータ２１と、  上記ホールコンピュータ２１によって収集された遊技機５の動作状態を、該遊技機５の動作状態を要求した上記携帯電話装置１３に送信する要求情報送信手段とを備える遊技場情報活用システム３。【選択図】図２
2005152456.tif 000002
【特許請求の範囲】
【請求項１】
遊技場に設置された遊技機の動作状態を検出する遊技機状態検出手段と、
上記遊技機状態検出手段が検出した遊技機の動作状態を入力する遊技機状態入力手段と、
上記遊技場に設置されている所望の遊技機の動作状態を要求する遊技状態要求手段を備える携帯情報装置と、
上記携帯情報装置から要求されて所望の遊技機の動作状態を上記遊技状態入力手段から受信する要求遊技状態収集手段と、
上記要求遊技状態収集手段によって収集された遊技機の動作状態を、該遊技機の動作状態を要求した上記携帯情報装置に送信する要求情報送信手段と
を備える遊技場の情報提供装置。
【請求項２】
上記携帯情報装置は、上記要求情報送信手段が送信した遊技機の動作状態を受信する動作状態受信手段と、
上記動作状態受信手段が受信した遊技機の動作状態に基づく情報を表示する動作状態表示手段と
を備えることを特徴とする請求項１に記載の遊技場の情報提供装置。
【請求項３】
上記携帯情報装置は、所定のアルゴリズムに基づいて上記受信した遊技機の動作状態を演算処理し、序列を付与する序列付与手段を備えることを特徴とする請求項１、又は請求項２に記載の遊技場の情報提供装置。
【請求項４】
上記要求情報送信手段は、上記序列付与手段を構築する解析プログラムデータを上記携帯情報装置に送信する解析プログラム構築手段を備えることを特徴とする請求項３に記載の遊技場の情報提供装置。
【請求項５】
上記携帯情報装置は、無線通信によって上記要求情報送信手段から情報を受信する無線通信手段を備えることを特徴とする請求項１ないし請求項４の何れかに記載の遊技場の情報提供装置。
【請求項６】
上記要求情報送信手段は、遊技場に設置された無線ＬＡＮである請求項１ないし請求項５の何れかに記載の遊技場の情報提供装置。
【請求項７】
上記動作状態受信手段は、上記無線ＬＡＮにリンクして、情報の送受信を可能にする無線ユニットである請求項２ないし請求項６の何れかに記載の遊技場の情報提供装置。
【請求項８】
上記遊技機情報入力手段は、上記遊技機状態検出手段が検出した遊技機の状態を時間情報を付して複数記憶することを特徴とする請求項１ないし請求項７の何れかに記載の遊技場の情報提供装置。
【発明の詳細な説明】
【技術分野】
【０００１】
本発明は、遊技場に配設された遊技機の動作状態を提供する技術に関する。
【背景技術】
【０００２】
従来、遊技場に配設された遊技機の動作状態を提供する技術としては、遊技機の上方に情報表示器を配設して、大当り回数やスタート回数などを表示するもの、又、この情報表示器の表示内容を情報提供専用携帯端末に送信して、情報提供専用携帯端末で確認可能にするもの（特許文献１参照）や、ホールコンピュータに格納されている情報をＰＨＳ端末に送信して、ＰＨＳ端末で表示可能にするものが開示されている（特許文献２参照）。
【特許文献１】特開平１１−７６５８７号公報  （図２、図３）
【特許文献２】特開２０００−７９２６４号公報（図１、図８）
【発明の開示】
【発明が解決しようとする課題】
【０００３】
しかしながら、従来の技術では、提供された情報の活用がし難かったり、情報の提供に通信費が掛かり、利用し難かった。
例えば、情報提供専用携帯端末を利用した技術では、遊技機の上方に配設されている情報表示器と同様の情報が提供されるだけであり、わざわざ携帯してまで利用することに疑問を抱く虞がある。
【０００４】
又、ＰＨＳにホールコンピュータの記憶内容を送信する技術では、通信コストが必要になり、通信コストに見合うだけの情報を提供し続けないと、利用されなくなる虞がある。
しかも、何れの場合もホールコンピュータが収集し、データ処理を行った情報、即ちホール管理を目的に収集された情報が表示されるだけであり、必ずしも遊技者の立場に立った情報が提供されるとは限らなかった。
【０００５】
そこで、本発明では、提供された情報の加工活用が容易であり、かつ通信費の負担を強いることが無く、しかも好みの情報を手に入れることを可能にすることで、顧客満足度が高く、しかも利用し易い情報提供装置の提供を目的とする。
【課題を解決するための手段】
【０００６】
上記課題を解決するための手段として、請求項１の発明の遊技場の情報提供装置は、遊技場に設置された遊技機の動作状態を検出する遊技機状態検出手段と、上記遊技機状態検出手段が検出した遊技機の動作状態を入力する遊技機状態入力手段と、上記遊技場に設置されている所望の遊技機の動作状態を要求する遊技状態要求手段を備える携帯情報装置と、上記携帯情報装置から要求されて所望の遊技機の動作状態を上記遊技状態入力手段から受信する要求遊技状態収集手段と、上記要求遊技状態収集手段によって収集された遊技機の動作状態を、該遊技機の動作状態を要求した上記携帯情報装置に送信する要求情報送信手段とを備えることを要旨とする。
【０００７】
これにより、遊技機状態入力手段が、遊技機状態検出手段によって検出された遊技機の状態を入力して、例えば入力した時間の情報と共に記憶する。例えば、１０分間のスタート回数や大当り回数などを時系列で記憶する。
【０００８】
又、携帯情報装置の遊技状態要求手段が所望の（所定の遊技機番号、所定の範囲の遊技機番号、所定の遊技島名、所定の遊技島番号、全遊技機など）遊技機の動作状態を要求すると、要求遊技状態収集手段がその要求された所望の遊技機の動作状態を遊技状態入力手段から受信し、要求情報送信手段がその受信した所望の遊技機の動作状態を、これを要求した携帯情報装置に送信する。
【０００９】
従って、携帯情報装置は、遊技状態要求手段によって所望の遊技機の動作状態を要求するだけで、その要求した遊技機の動作状態を入手することが可能になる。
このため、例えば現在遊技が可能な遊技機の動作状態、例えばアウト球数と、スタート回数の情報などを入手し、アウト球数に対するスタート回数の比率の序列を表示するといったことが可能になる。
【００１０】
しかもこの情報を入手するために通信料金の発生が無く、また未加工の情報をそのまま入手して、所定の演算処理を携帯情報装置で施すことが自由にできることになり、独自の判断基準で優良台を抽出するソフトの導入及び実行などが容易になる。
【００１１】
請求項２の発明の遊技場の情報提供装置は、上記携帯情報装置は、上記要求情報送信手段が送信した遊技機の動作状態を受信する動作状態受信手段と、上記動作状態受信手段が受信した遊技機の動作状態に基づく情報を表示する動作状態表示手段とを備えることを特徴とする請求項１に記載の遊技場の情報提供装置を要旨とする。
【００１２】
これにより、遊技機状態入力手段が、遊技機状態検出手段によって検出された遊技機の状態を入力して、記憶する。
又、携帯情報装置の遊技状態要求手段が所望の遊技機の動作状態を要求すると、要求遊技状態収集手段がその要求された所望の遊技機の動作状態を遊技状態入力手段から受信し、要求情報送信手段がその受信した所望の遊技機の動作状態を、これを要求した携帯情報装置に送信する。
【００１３】
携帯情報装置は、動作状態受信手段がその遊技機の動作状態を受信し、動作状態表示手段がその受信した動作状態に基づく情報を表示する。
従って、携帯情報装置は、遊技状態要求手段によって所望の遊技機の動作状態を要求するだけで、その要求した遊技機の動作状態を入手し、表示することが可能になる。
【００１４】
しかもこの情報を入手するために通信料金の発生が無く、また未加工の情報をそのまま入手して、所定の演算処理を携帯情報装置で施すことが自由にできることになり、独自の判断基準で優良台を抽出するソフトの導入及び実行などが容易になる。
【００１５】
請求項３の発明の遊技場の情報提供装置は、上記携帯情報装置は、所定のアルゴリズムに基づいて上記受信した遊技機の動作状態を演算処理し、序列を付与する序列付与手段を備えることを特徴とする請求項１、又は請求項２に記載の遊技場の情報提供装置を要旨とする。
【００１６】
これにより、遊技機状態入力手段が、遊技機状態検出手段によって検出された遊技機の状態を入力して、記憶する。
又、携帯情報装置の遊技状態要求手段が所望の遊技機の動作状態を要求すると、要求遊技状態収集手段がその要求された所望の遊技機の動作状態を遊技状態入力手段から受信し、要求情報送信手段がその受信した所望の遊技機の動作状態を、これを要求した携帯情報装置に送信する。
【００１７】
携帯情報装置は、動作状態受信手段がその遊技機の動作状態を受信し、序列付与手段が、所定のアルゴリズムに基づいて受信した動作状態を演算処理し、序列を付与する。
従って、携帯情報装置は、遊技状態要求手段によって所望の遊技機の動作状態を要求するだけで、その要求した遊技機の動作状態を入手し、それらの遊技機の序列（例えば、独自のアルゴリズムで決定した優良遊技機の序列）を表示することが可能になる。
【００１８】
このため、例えば現在遊技が可能な遊技機の遊技順を表示することが可能になる。
しかもこの情報を入手するために通信料金の発生が無く、また未加工の情報をそのまま入手して、所定のアルゴリズムで演算処理を施すことが自由にできることになり、独自の判断基準で遊技の可否を判断するソフトの導入及び実行などが容易になる。
【００１９】
請求項４の発明の遊技場の情報提供装置は、上記要求情報送信手段は、上記序列付与手段を構築する解析プログラムデータを上記携帯情報装置に送信する解析プログラム構築手段を備えることを特徴とする請求項３に記載の遊技場の情報提供装置を要旨とする。
【００２０】
これにより、解析プログラム構築手段が請求項３に示した携帯情報装置に解析プログラムデータを送信することが可能になる。
請求項５の発明の遊技場の情報提供装置は、上記携帯情報装置は、無線通信によって上記要求情報送信手段から情報を受信する無線通信手段を備えることを特徴とする請求項１ないし請求項４の何れかに記載の遊技場の情報提供装置を要旨とする。
【００２１】
これにより、請求項１ないし請求項４に示した携帯情報装置の無線通信手段が、要求情報送信手段から送られてくる情報を無線通信によって受信することが可能になる。
請求項６の発明の遊技場の情報提供装置は、上記要求情報送信手段は、遊技場に設置された無線ＬＡＮである請求項１ないし請求項５の何れかに記載の遊技場の情報提供装置を要旨とする。
【００２２】
これにより、請求項１ないし請求項５に示した要求情報送信手段が、無線ＬＡＮであることにより、携帯情報装置は、無線ＬＡＮのエリア内に入るだけで、要求情報送信手段から情報を受信することが可能になる。
【００２３】
請求項７の発明の遊技場の情報提供装置は、上記動作状態受信手段は、上記無線ＬＡＮにリンクして、情報の送受信を可能にする無線ユニットである請求項２ないし請求項６の何れかに記載の遊技場の情報提供装置を要旨とする。
【００２４】
これにより、携帯情報装置の無線ユニットが、請求項２ないし請求項６に示した無線ＬＡＮにリンクして、この無線ＬＡＮとの間で、情報の送受信が可能になる。
請求項８の発明の遊技場の情報提供装置は、上記遊技機情報入力手段は、上記遊技機状態検出手段が検出した遊技機の状態を時間情報を付して複数記憶することを特徴とする請求項１ないし請求項７の何れかに記載の遊技場の情報提供装置を要旨とする。
【００２５】
これにより、遊技情報入力手段が遊技機の動作状態を時間情報を付して記憶するため、遊技機の経時的変化を考慮した解析を携帯情報装置で行うことが可能になる。
【発明の効果】
【００２６】
請求項１の遊技機の情報提供装置は、提供された情報の加工活用が容易であり、かつ通信費の負担を強いることが無く、しかも好みの情報を手に入れることを可能になり、顧客満足度が向上されるとともに、利便性が向上されるという極めて優れた効果を奏する。
【００２７】
請求項２の遊技機の情報提供装置は、提供された情報の加工活用が容易であり、かつ通信費の負担を強いることが無く、しかも好みの情報を手に入れることを可能になり、顧客満足度が向上されるとともに、利便性が向上されるという極めて優れた効果を奏する。
【００２８】
請求項３の遊技機の情報提供装置は、提供された情報の加工活用が容易であり、かつ通信費の負担を強いることが無く、しかも好みの情報を手に入れることを可能になり、顧客満足度が向上されるとともに、利便性が向上されるという極めて優れた効果を奏する。
【００２９】
請求項４の遊技機の情報提供装置は、請求項３の効果に加え、遊技場が遊技者に優良台を判断する解析プログラムなどの遊技者の利便を向上させたり、遊技者の利益を尊重するソフトを適宜提供することが可能になり、顧客満足度が向上されるという極めて優れた効果を奏する。
【００３０】
請求項５の遊技機の情報提供装置は、請求項１ないし請求項４に示した効果を得るための情報を無線によって受信することが可能なり、より利便性が向上されるという極めて優れた効果を奏する。
【００３１】
請求項６の遊技機の情報提供装置は、無線ＬＡＮのエリア内に携帯情報装置が入るだけで請求項１ないし請求項５に示した効果が得られ、より利便性が向上されるという極めて優れた効果を奏する。
【００３２】
請求項７の遊技機の情報提供装置は、無線ＬＡＮのエリア内に携帯情報装置が入るだけで、請求項２ないし請求項６に示した効果が得られ、より利便性が向上されるという極めて優れた効果を奏する。
【００３３】
請求項８の遊技機の情報提供装置は、情報提供装置による解析機能が向上され、顧客満足度が向上されるという極めて優れた効果を奏する。
【発明を実施するための最良の形態】
【００３４】
次に発明の実施の形態を説明する。
図１は、遊技場１の説明図、図２は、遊技場情報活用システム３の構成図である。
遊技場１は、図１に示すように、遊技球や遊技メダルなどの遊技媒体を用いた遊技を提供する遊技機５が取り付けられた遊技島７と、遊技場１をサービスエリア９（遊技場１内と同じ）とする無線ＬＡＮシステム１１と、遊技場１内の遊技機５の動作状態を無線ＬＡＮシステム１１を利用して、携帯電話装置１３に送信し、活用して貰う処理などを行う遊技場情報活用システム３とを備えている。
【００３５】
遊技場情報活用システム３は、詳細な説明は後述するが、図２に示すように、回胴式遊技や遊技球、遊技メダルを利用した遊技を提供する遊技機５と、遊技機５の情報出力端子板１５から遊技機５の情報を入力して記憶し演算処理し表示などを行うインテリジェント情報表示装置１７と、インテリジェント情報表示装置１７が備える通信インタフェース１９との間でデータの送受信を行って、遊技機５の動作状態を収集して、管理するホールコンピュータ２１と、ホールコンピュータ２１の管理する情報を記憶するデータベースユニット２３と、ホールコンピュータ２１と携帯電話装置１３とに有線、又は無線で接続される無線ＬＡＮシステム１１とを備えている。
【００３６】
インテリジェント情報表示装置１７は、遊技機５毎に取り付けられており、図示を省略するｃｐｕ、ｒｏｍ、ｒａｍ、及び入出力インタフェースなどのマイクロコンピュータや文字や画像を表示する表示装置２５、ホールスタッフを呼び出すための呼び出しボタン２７、表示装置２５の表示内容を変更・選択するための選択ボタン２９及びホールコンピュータ２１との間でデータを有線、又は無線で送受信するための通信インタフェース１９などを備え、以下に示す機能を有する。
【００３７】
（１）遊技機５から入力した情報に入力時の時間情報を付して記憶する。
（２）遊技機５から入力した情報を加工して、選択ボタン２９の選択内容に従って、表示装置２５に表示する。
【００３８】
（３）呼び出しボタン２７が押された場合に、ホールコンピュータ２１に呼び出し信号を送信する。尚、ホールコンピュータ２１は、呼び出し信号を入力すると、図示しない無線通話装置によって、該当遊技機の番号の受信対象のホールスタッフが持っている図示しないトランシーバに、呼び出しがあった遊技機番号を送信する。又、遊技機番号の送信後、ホールコンピュータ２１は、トランシーバからの受信確認信号を受信し、遊技機番号の再送信を停止する。又、受信確認信号の受信を記録に残す。この受信確認信号は、ホールスタッフの勤務評定の参考に供する。
【００３９】
（４）選択ボタン２９が押された場合に、表示装置２５の表示内容を所定規則に基づいて変更する。例えば、表示態様１、表示態様２、表示態様３・・・、表示態様１・・・と言うように変更する。
【００４０】
（５）ホールコンピュータ２１からの指令内容を処理する。（詳細は後述する。）
ホールコンピュータ２１は、遊技機５から収集した情報に基づいて、慣用されているホール管理処理と、顧客管理処理と、情報提供処理とを行う。
【００４１】
ホール管理処理では、各遊技機の動作状態のモニターを行って、割数や設定値などの指令を予め格納されているプログラムによる処理で行う。これにより、ホールの営業を成り立たせるように機能する。
【００４２】
又、後述する携帯電話装置１３からの指令を忠実に実行するエージェント機能を提供する。
無線ＬＡＮシステム１１は、携帯電話装置１３に取り付けられた無線ＬＡＮユニット３１との間で、無線通信によって情報の送受信を行う。
【００４３】
つまり、図１に示すように、携帯電話装置１３の無線ＬＡＮユニット３１が無線ＬＡＮシステム１１のサービスエリア９内に入ると、相互の認証などが行われ、リンク状態になり、後述する処理が行われる。尚、無線ＬＡＮユニット３１や無線ＬＡＮシステム１１の通信方式や規格は、相互の認証を自動的に行う機能を有するものであれば、どの様な構成のものであっても良い。
【００４４】
以下に、遊技場情報活用システム３によって行われる制御を説明する。
図３は、インテリジェント情報表示装置１７によって繰り返し実行されるインテリジェント情報ユニットデータ収集処理ルーチンのフローチャート、図４は、インテリジェント情報表示装置１７によって繰り返し実行されるインテリジェント情報ユニット情報提供制御処理ルーチンのフローチャート、図５は、ホールコンピュータ２１によって繰り返し実行されるホールユニット受入制御処理ルーチンのフローチャート、図６は、ホールコンピュータ２１によって繰り返し実行されるホールユニット会員対応処理ルーチンのフローチャート、図７は、携帯電話装置１３によって繰り返し実行される携帯電話（プログラム実行）処理ルーチンのフローチャート、図８は、携帯電話装置１３によって繰り返し実行される携帯電話（情報表示）処理ルーチンの表示処理ステップを示すフローチャート、図９は、携帯電話装置１３によって実行されるプログラム実行（経時情報分析処理）のフローチャート、図１０は、データベースユニット２３内に構成される会員データベース３３の説明図、図１１は、データベースユニット２３内に構成される遊技機データベース３５の説明図、図１２は、携帯電話装置１３の表示画面３７の説明図である。
【００４５】
まず、インテリジェント情報表示装置１７によって行われる処理を説明する。
このインテリジェント情報表示装置１７では、図３に示すように、遊技機５が情報出力端子板１５から出力した遊技機作動信号ＹＳを通信インタフェース１９から入力する遊技機作動信号入力処理を行う（Ｓ１００）。この遊技機作動信号ＹＳは、遊技機５が実際に作動中であること、例えば遊技球の発射が行われていることを表す信号である。
【００４６】
次いで、遊技機５の遊技が開始したことを表すスタート信号ＳＴを入力するスタート信号入力処理を行う（Ｓ１１０）。例えば、第１種遊技機であれば、第１種特別図柄遊技が開始したことを表す信号であり、回胴式遊技機であれば、回胴が回転を開始して遊技がスタートしたことを表す信号である。
【００４７】
次に、大当り信号ＯＳの入力を行う（Ｓ１２０）。大当り信号ＯＳとしては、遊技機５の種類によって、適宜決定されるが、通常の大当り信号、確変大当り信号、レギュラーボーナス信号、ビックボーナス信号、連続当り状態信号などがある。
【００４８】
以下、遊技機の扉や枠が開かれたことを示すオープン信号ＯＰの入力（Ｓ１３０）、遊技機５からアウトに排出された遊技球の数を示すアウト球数信号ＯＵの入力（Ｓ１４０）、遊技機が景品として払い出した数を示すセーフ球数信号ＳＳの入力（Ｓ１５０）を順次行い、これらＳ１００ないしＳ１５０によって入力があったデータを、その入力があった時間の情報と共に格納する処理を行う（Ｓ１６０）。
【００４９】
これら図３のインテリジェント情報ユニットデータ収集処理により、遊技機５にそれぞれ取り付けられているインテリジェント情報表示装置１７は、遊技機５の動作状態を発生時間の情報と共に記憶する。従って、この情報を読み出すことによって、遊技機５の動作状態を経時的に知ることが出来、統計的処理を施したり、独自の判断基準で、評価したりする解析が可能になる。
【００５０】
又、インテリジェント情報表示装置１７は、図４に示すインテリジェント情報ユニット情報提供制御処理によって、以下のような処理を実行する。
まず、ホールコンピュータ２１から送信されてくる情報送信要求（詳細は後述する）を受信する処理を行い（Ｓ２００）、次いでその受信した要求情報を準備する要求情報準備（経時）処理を行って（Ｓ２１０）、準備した情報をホールコンピュータ２１に送信する要求情報送信処理を実行する（Ｓ２２０）。
【００５１】
例えば、ホールコンピュータ２１から情報送信要求を受信すると、インテリジェント情報表示装置１７内に収集している図３の処理で収集し、格納した経時的情報をホールコンピュータ２１に送信する。
【００５２】
この図４のインテリジェント情報ユニット情報提供制御処理により、ホールコンピュータ２１は、何時でも所望の遊技機５の経時的な動作状態を手に入れることが可能になる。
次に、インテリジェント情報表示装置１７との間で情報の送受信を行うと共に、携帯電話装置１３との間で情報の送受信を行うホールコンピュータ２１を説明する。
【００５３】
ホールコンピュータ２１は、携帯電話装置１３との間で、情報を交換するために、図５のホールユニット受入制御処理をまず実行する。
このホールユニット受入制御処理では、まず携帯電話装置１３と無線ＬＡＮシステム１１との間でリンクが確立した携帯電話装置１３の情報を入力するリンク確立入力処理を実行する（Ｓ３００）。携帯電話装置１３と無線ＬＡＮシステム１１との間にリンクを確立する手法は、慣用されている様々な通信方式の利用が可能である。
【００５４】
リンクが確立した携帯電話装置１３の情報を入力すると（Ｓ３００）、次にその携帯電話装置１３を会員として識別し、その後の会員受入処理を実行する会員受入処理、会員データベース更新処理を実行する（Ｓ３１０）。例えば、会員受入処理としては、リンクされた携帯電話装置１３が既に会員登録が済んでいるものであるかを、図１０に示した会員データベース３３に基づいて判断する処理を行う。ここで参照する会員データベース３３は、会員の氏名や住所などのパーソナルデータ、来場日時、遊技時間、使用金額、景品金額、その他の情報が格納されている。尚、これに限るものではなく、適宜必要な情報が格納される。
【００５５】
会員受入処理では、リンクを確立した携帯電話装置１３の情報が既に会員データベース３３に存在する場合には、今回の来場日時を会員データベース３３に格納する会員データベース更新処理を行って、次の会員別受入メニュー作成処理（Ｓ３２０）に移行する。又、携帯電話装置１３が会員として登録されていない場合には、そのまま次の会員別受入メニュー作成処理（Ｓ３２０）に移行する。
【００５６】
Ｓ３２０の会員別受入メニュー作成処理では、例えば、未登録の会員用のメニュー、或いは会員用のメニューを作成する。未登録の会員用としては、入会申し込み欄や、イベントの案内などを含むメニューを作成する。又、会員用としては、詳細は後述するがイベントの案内や特典の案内、情報提供欄などを含むメニューを作成する。
【００５７】
会員別受入メニューの作成が完了すると（Ｓ３２０）、その作成した受入メニューをリンクされた携帯電話装置１３に送信して（Ｓ３３０）、本ホールユニット受入制御処理を一旦終了する。この処理の対象の携帯電話装置１３は、受入メニューをディスプレイの表示画面３７に表示する構成を予め備えている（設定やプログラムがインストールされている）ものとする。又、その受入メニューを選択して、次の処理に移行する構成を有するものとする。
【００５８】
又、ホールコンピュータ２１は、図６に示すように、既述したＳ３３０によって携帯電話装置１３に送信された受入メニューの選択結果をモニタするメニュー選択情報入力処理を実行する（Ｓ４００）。尚、携帯電話装置１３による受入メニューの選択処理に関しては、後述する。
【００５９】
メニューの選択情報として、経時情報の提供を求めている信号が入力した場合には、Ｓ４１０によって、経時情報提供有りと判断され（Ｓ４１０）、以下のＳ４２０ないしＳ４４０の経時情報を提供する処理を実行する。又、経時情報の提供を求める信号があるまでは、そのまま一旦終了される（Ｓ４１０）。
【００６０】
ここでの経時情報を提供する処理としては、まず携帯電話装置１３から経時情報の提供を要求された遊技機５の番号、又は番号範囲を抽出する経時情報提供台番号抽出処理を行い（Ｓ４２０）、次いで、求められた番号の遊技機５の経時情報を各インテリジェント情報表示装置１７から収集する処理を行って（Ｓ４３０）、その収集した経時情報を求めた携帯電話装置１３に送信する処理を行う（Ｓ４４０）。
【００６１】
このホールユニット会員対応処理により、ホールコンピュータ２１は、携帯電話装置１３からの情報の提供の依頼を受けて、その依頼内容を代わって実行する代理処理機能を提供する。
【００６２】
尚、ホールコンピュータ２１は、図示しないクーポンの提供、情報の提供、或いはその他のサービスの提供の仲介や代理処理を実行する。又、会員のランクや種別に応じて、遊技機の設定値の値を提供する。例えば、最優遇ランクやレベルの会員などには、最優遇設定されている遊技機の番号情報を提供する。この様な会員のランクや種別、常客や優良客の判断は、図１０に示した会員データベース３３の格納内容に基づいて行う。
【００６３】
次に携帯電話装置１３で行われる処理を説明する。この処理は、携帯電話装置１３が遊技場１のサービスエリア９に入って来て、無線ＬＡＮシステム１１との間でリンクを開始する状態を想定して、構成されている。又、フローチャートは、判断、待機処理の記載を一部省略して記載する。
【００６４】
図７の携帯電話処理が起動されると、まず内蔵する無線ＬＡＮユニット３１が遊技場１の無線ＬＡＮシステム１１との間で、リンクの確立を求め（Ｓ５００）、リンクが確立するまで本ルーチンをそのまま一旦終了する（Ｓ５１０）。
【００６５】
リンクが確立したら（Ｓ５１０）、まず会員情報送信要求の受信を行い（Ｓ５２０）、次いでその会員情報送信要求に応答して、会員情報の送信を実行する（Ｓ５３０）。
そして、この会員情報の送信に応答して無線ＬＡＮシステム１１から送信されてくる遊技場メニューの受信を行い（Ｓ５４０）、遊技場メニューを受信したらその遊技場メニューをディスプレイの表示画面３７に表示する（Ｓ５５０）。
【００６６】
この遊技場メニューを表示した状態で、遊技場メニューの選択入力を待って（Ｓ５６０）、遊技場メニューの選択入力があると、その選択されたメニューの選択情報を無線ＬＡＮシステム１１を介してホールコンピュータ２１に送信する処理を実行する（Ｓ５７０）。例えば、Ｓ５４０によって送信されてくる遊技場メニューとしては、
（１）新着情報
（２）イベント情報
（３）クーポン
等が含まれる内容である。又、何れかの項目を選択した場合の表示内容や項目メニューが含まれている。例えば、新着情報を選択すると、次回新台情報や特典情報などが表示される。又、イベント情報を選択すると、次回のイベント情報などが表示される。例えば、大開放日情報や還元祭情報などが表示される。
【００６７】
クーポン情報が選択されると、Ｓ５３０で送信した会員情報に応じて、ホールコンピュータ２１から送信されてきたクーポンの内容が表示される。例えば、クーポンの内容としては、物品を提供するものや秘密情報を提供するもの、或いはサービスを提供するものがある。
【００６８】
例えば、物品を提供するクーポンとしては、呈茶券やおやつ券などがある。
秘密情報を提供するものとしては、遊技機５の経時的情報や優良順位情報、設定値の情報の提供がある。又、この経時的情報は、会員のホールに対する貢献状態に応じて、提供量、品質レベルが増減される。
【００６９】
例えば、新規会員は、提供される経時情報の遊技機５の台数や種別が制限されたり、提供される経時情報の種類（遊技機５の作動時間の提供やオープン信号の提供）が制限される。或いは、経時情報の一部が大凡の数値に変換されて提供される。例えば、大当り回数が無し、少し、普通、大、爆発などのように変換されて提供される。
【００７０】
又、常客に対しては、最大限の経時情報や秘密情報の提供が行われる。
Ｓ５７０にて、経時情報の提供を求めるメニュー選択情報の送信に対応して、その返信情報が送られてくると、それを受信し（Ｓ５８０）、その受信した情報に基づいて、その情報をそのまま表示する表示処理を実行するか（図８のＳ６７０）、或いはその情報に基づいて更にプログラムソフトを受信して（Ｓ５９０）、その受信したプログラムソフトを実行する処理を行う（Ｓ６００）。
【００７１】
Ｓ６７０のそのまま受信情報を表示する場合には、例えば図１２に示すようにディスプレイの表示画面３７に、ホールコンピュータ２１で演算した遊技機５の優良順位情報をそのまま表示する。
【００７２】
又、Ｓ５９０でプログラムソフトを受信した場合は、Ｓ６００でプログラムを実行するが、例えば図９に示すような（経時情報分析処理）を行うプログラムソフトが携帯電話装置１３によって実行される。
【００７３】
例えば、まず図１１に示した遊技機データベース３５に格納されている経時情報を所望の遊技機５の分について入力し（Ｓ７００）、次いでデータ分析ソフト（遊技推奨度合いランキング分析ソフト）を起動させ（Ｓ７１０）、その分析結果、例えば遊技推奨度合いランキングを表示する（Ｓ７２０）。これにより、図１２に示すような、遊技機５の優良順位の代わりに、所定の遊技推奨度合い判断基準に基づいて分析を行った結果が表示画面３７に表示される。例えば、大当り信号数が所定以上のアウト球信号数当たりのスタート信号数の値の序列を求め、一覧表示する。この分析結果を利用することにより、良く大当りが発生し、かつ同一の投資金額で多くスタートする遊技機５のランキングを知ることが出来る。
【００７４】
尚、本発明は、上記の実施例に限定されるものではなく、本発明の要旨を変更しない範囲で、様々な態様の実施が可能である。
例えば、遊技場情報活用システム３は、携帯電話装置１３が無線ＬＡＮシステム１１を経由して、ホールコンピュータ２１に接続され、このホールコンピュータ２１との間で、情報の送受信を行う構成であったが、これに代えて、インテリジェント情報表示装置１７にアクセスポインタなどの無線通信ユニットを取り付け、このインテリジェント情報表示装置１７と携帯電話装置１３との間で、情報の送受信を行い、インテリジェント情報表示装置１７が携帯電話装置１３から依頼を受けた内容をホールコンピュータ２１に送信し、その返信をホールコンピュータ２１から受信して、携帯電話装置１３に送信する構成にしても良い。又、インテリジェント情報表示装置１７が携帯電話装置１３から直接受けた依頼内容を代行して処理、例えば、必要な情報をホールコンピュータ２１やデータベースユニット２３から収集して、携帯電話装置１３に送信したり、収集した情報を加工後、携帯電話装置１３に送信する構成にしても良い。
【００７５】
この様にすることで、携帯電話装置１３が無線で接続される相手が携帯電話装置１３の近傍のインテリジェント情報表示装置１７になるため、無線ＬＡＮシステム１１との間で情報の送受信を行う場合に比べて、通信距離が短くなり、通信妨害を受け難くなると共に、確実に電波の送受信が行われ、通信装置や通信ソフトの簡素化や通信時間の短縮を図ることが可能になる。
【００７６】
以上に説明した遊技場１の遊技場情報活用システム３は、遊技機５に配設されたインテリジェント情報表示装置１７が、遊技機５に配設された図示しないセンサによって検出された遊技機５の動作状態を情報出力端子板１５を介して入力して、例えば入力した時間の情報と共に記憶する。例えば、図１１に示した遊技機データベース３５の内容を記憶する。
【００７７】
又、携帯電話装置１３が所望の（所定の遊技機番号、所定の範囲の遊技機番号、所定の遊技島名、所定の遊技島番号、全遊技機など）遊技機５の動作状態を要求すると、ホールコンピュータ２１がその要求された所望の遊技機５の動作状態をインテリジェント情報表示装置１７から受信し、これを要求した携帯電話装置１３に無線ＬＡＮシステム１１を介して送信する。
【００７８】
従って、携帯電話装置１３は、所望の遊技機５の動作状態を要求するだけで、その要求した遊技機５の動作状態を入手することが可能になる。
このため、携帯電話装置１３で、現在空いている遊技機５の動作状態、例えばアウト球数と、スタート回数の情報などを入手し、アウト球数に対するスタート回数の比率の序列を表示するといったことが可能になる。
【００７９】
しかもこの情報を入手するために通信料金の発生が無く、また未加工の情報をそのまま入手して、自己が有する解析ソフトによって、所定の演算処理を携帯電話装置１３で施して、優良遊技機５を抽出したり、或いは遊技場１が提供した解析ソフトを、ホールコンピュータ２１から受信して、実行し、優良台のランク付けを行って、優良台を抽出したりすることが容易になる。又、ホールコンピュータ２１でランク付けした情報を受信してそのまま表示することが可能になる。
【００８０】
その上、このようなサービスの提供を会員の種別、例えば常客、新規客などの識別に応じて、差別して提供することが可能になり、会員の囲い込みや常連客の獲得に有効である。
【００８１】
この結果、提供された情報の加工活用が容易であり、かつ通信費の負担を強いることが無く、しかも好みの情報を手に入れることが可能になり、顧客満足度が向上されるとともに、利便性が向上されるという極めて優れた効果を奏する。又、集客効果を向上することが出来るという極めて優れた効果を奏する。
【００８２】
次に特許請求の範囲の構成と、発明の実施の形態との対応を説明する。
請求項１の遊技機状態検出手段は、遊技機５に配設されている図示しないセンサ、例えば遊技球センサなどが対応する。
【００８３】
遊技機状態入力手段は、インテリジェント情報表示装置１７、遊技場は、遊技場１、遊技機は、遊技機５、遊技状態要求手段は、携帯電話装置１３で行われるＳ５６０、Ｓ５７０の処理、携帯情報装置は、携帯電話装置１３、要求遊技状態収集手段は、ホールコンピュータ２１によって実行される図６に示すホールユニット会員対応処理のＳ４００ないしＳ４３０、要求情報送信手段は、Ｓ４４０の処理が対応する。
【００８４】
以下、同一手段の説明は、省略する。
請求項２の動作状態受信手段は、Ｓ５８０の処理、動作状態表示手段は、Ｓ６７０の処理が対応する。
【００８５】
請求項３の序列付与手段は、Ｓ６００の処理内容が対応する。
請求項４の解析プログラム構築手段は、ホールコンピュータ２１によって実行され、携帯電話装置１３にＳ５９０で説明したプログラムソフトを送信する図示しない処理である。
【００８６】
請求項５の無線通信手段は、無線ＬＡＮユニット３１が対応する。
請求項６の遊技場に設置された無線ＬＡＮは、無線ＬＡＮシステム１１が対応する。
請求項７の無線ユニットは、無線ＬＡＮユニット３１が対応する。
【００８７】
請求項８の遊技機の状態を時間情報を付して複数記憶することは、図１１に示した遊技機データベース３５の説明内容が対応する。
【図面の簡単な説明】
【００８８】
【図１】遊技場１の説明図である。
【図２】遊技場情報活用システム３の構成図である。
【図３】インテリジェント情報表示装置１７によって繰り返し実行されるインテリジェント情報ユニットデータ収集処理ルーチンのフローチャートである。
【図４】インテリジェント情報表示装置１７によって繰り返し実行されるインテリジェント情報ユニット情報提供制御処理ルーチンのフローチャートである。
【図５】ホールコンピュータ２１によって繰り返し実行されるホールユニット受入制御処理ルーチンのフローチャートである。
【図６】ホールコンピュータ２１によって繰り返し実行されるホールユニット会員対応処理ルーチンのフローチャートである。
【図７】携帯電話装置１３によって繰り返し実行される携帯電話処理ルーチンのフローチャートである。
【図８】携帯電話装置１３によって繰り返し実行される携帯電話処理ルーチンの表示処理ステップのフローチャートである。
【図９】携帯電話装置１３によって実行されるプログラム実行（経時情報分析処理）のフローチャートである。
【図１０】データベースユニット２３内に構成される会員データベース３３の説明図である。
【図１１】データーベースユニット２３内に構成される遊技機データベース３５の説明図である。
【図１２】携帯電話装置１３の表示画面３７の説明図である。
【符号の説明】
【００８９】
１・・・遊技場、３・・・遊技場情報活用システム、５・・・遊技機、
７・・・遊技島、９・・・サービスエリア、１１・・・無線ＬＡＮシステム、
１３・・・携帯電話装置、１５・・・情報出力端子板、
１７・・・インテリジェント情報表示装置、１９・・・通信インタフェース、
２１・・・ホールコンピュータ、２３・・・データベースユニット、
２５・・・表示装置、２７・・・呼び出しボタン、２９・・・選択ボタン、
３１・・・無線ＬＡＮユニット、３３・・・会員データベース、
３５・・・遊技機データベース、３７・・・表示画面
【図１】
2005152456.tif 000003
【図２】
2005152456.tif 000004
【図３】
2005152456.tif 000005
【図４】
2005152456.tif 000006
【図５】
2005152456.tif 000007
【図６】
2005152456.tif 000008
【図７】
2005152456.tif 000009
【図８】
2005152456.tif 000010
【図９】
2005152456.tif 000011
【図１０】
2005152456.tif 000012
【図１１】
2005152456.tif 000013
【図１２】
2005152456.tif 000014